(57)【要約】【課題】通信端末同士の通話の終了の際に、通話相手を特定するための情報や広告など任意の情報を通信端末に表示させる。【解決手段】通信端末同士の通話の終了を検出したときに通信端末に送信すべきデータの登録がなされているか判定し（ステップＳ２０４）、その登録がなされている場合、そのデータに関する情報を送信する。データに関する情報は、そのデータ自体（例えば、テキストデータの場合）か、または、そのデータを取得するためのＵＲＬ情報（例えば、画像情報の場合）である。そして、データに関する情報は、呼を切断させるための切断応答信号に含めて送信される（ステップＳ２０９）。こうすることにより、通話相手を特定するための情報や広告など任意の情報を、終話時に、通信端末に表示させることができる。【選択図】      図２
2008294917.tif 000002
【特許請求の範囲】
【請求項１】
通信端末同士の通話の終了を検出したときに前記通信端末に送信すべきデータの登録がなされているか判定する判定手段と、前記データの登録がなされている場合、前記データに関する情報を前記通信端末に送信する送信手段とを含むことを特徴とする通信制御装置。
【請求項２】
前記データに関する情報は、そのデータ自体と、そのデータを取得するためのＵＲＬと、のいずれか一方であることを特徴とする請求項１記載の通信制御装置。
【請求項３】
前記送信手段は、呼を切断させるための信号に、前記データに関する情報を含めて送信することを特徴とする請求項１又は２に記載の通信制御装置。
【請求項４】
通信端末同士の通話を終了させるための信号に含まれている情報を取得する情報取得手段と、前記情報取得手段によって取得された情報を用いて自端末の画面にデータを表示する表示手段とを含むことを特徴とする通信端末。
【請求項５】
通信端末同士の通話の終了を検出したときに前記通信端末に送信すべきデータの登録がなされているか判定する判定手段と、前記データの登録がなされている場合、前記データに関する情報を前記通信端末に送信する送信手段とを含む交換機と、
前記データに関する情報を取得する情報取得手段と、前記情報取得手段によって取得した情報を用いて自端末の画面に前記データを表示する表示手段とを含む通信端末と、
を備えたことを特徴とする通信システム。
【発明の詳細な説明】
【技術分野】
【０００１】
本発明は通信制御装置、通信端末、通信システムに関し、特に携帯電話機などの通信端末同士の通話を実現するための通信システム、および、それに用いる通信制御装置、通信端末に関する。
【背景技術】
【０００２】
かかってきた電話を受けて通話が終了した後、誰から電話がかかってきたのか、会社名や所属などを失念していることがある。その場合、予め電話帳登録していれば、通話履歴を参照すれば通話相手を特定することができる。しかしながら、初めて通話する相手などについては、通話相手を特定することができない。通話相手を確認するには、こちらから電話をかけて聞き出す必要があり、面倒である。
【０００３】
このような問題を解決するため、通話が終了した後で、通話相手の名前や所属が履歴として残っていれば再確認する必要がなくなり、便利である。通信端末同士の通話の終了（以下、終話と呼ぶ）の際に通話に関連する内容を表示する技術として、通話料金を表示する技術が知られている（例えば、特許文献１参照）。この技術は、終話時に、通信端末の内部で通話料金を算出し、その算出結果を通信端末の画面に表示するものである。
【特許文献１】特開２００２−１５２４２６号公報
【発明の開示】
【発明が解決しようとする課題】
【０００４】
しかしながら、特許文献１に記載の技術は、自端末の内部処理によって通話料金を表示するものであり、通話相手を特定することはできない。
また、通話相手を特定するための情報のみならず、通信端末の画面に任意の広告を表示できるようにすれば、広告宣伝効果を高めることができると考えられる。上述した特許文献１に記載の技術は、通信端末の内部での処理結果を表示するにすぎず、任意の広告を表示することはできない。
本発明は上述した従来技術の問題点を解決するためになされたものであり、その目的は通話相手を特定するための情報や広告など任意の情報を終話時に表示させることのできる通信制御装置、通信端末、通信システムを提供することである。
【課題を解決するための手段】
【０００５】
本発明の請求項１による通信制御装置は、通信端末同士の通話の終了を検出したときに前記通信端末に送信すべきデータの登録がなされているか判定する判定手段（例えば、後述する図２中のステップＳ２０４に対応）と、前記データの登録がなされている場合、前記データに関する情報を前記通信端末に送信する送信手段（例えば、後述する図２中のステップＳ２０８、Ｓ２０９に対応）とを含むことを特徴とする。
このような構成によれば、広告など任意の情報を、終話時に、通信端末において表示させることができる。
【０００６】
本発明の請求項２による通信制御装置は、請求項１において、
前記データに関する情報は、そのデータ自体と、そのデータを取得するためのＵＲＬと、のいずれか一方であることを特徴とする。
データ容量の小さなテキストデータなどについては切断応答信号に含めて送信すればよいし（例えば、後述する図２の場合）、データ容量の大きな画像情報などについてはそのＷｅｂページに接続するためのＵＲＬ情報を切断応答信号に含めて送信すればよい（例えば、後述する図５の場合）。すなわち、表示させたいデータの種別に応じて適切な情報を送信し、広告など任意の情報を、終話時に、通信端末において表示させることができる。
【０００７】
本発明の請求項３による通信制御装置は、請求項１又は２において、
前記送信手段は、呼を切断させるための信号に、前記データに関する情報を含めて送信することを特徴とする。
このような構成によれば、広告など任意の情報を表示させるための信号を特別に定義する必要がない。
本発明の請求項４による通信端末は、通信端末同士の通話を終了させるための信号に含まれている情報を取得する情報取得手段（例えば、後述する図２中のステップＳ２１１に対応）と、前記情報取得手段によって取得された情報を用いて自端末の画面にデータを表示する表示手段（例えば、後述する図２中のステップＳ２１２に対応）とを含むことを特徴とする。
このような構成によれば、広告など任意の情報を、終話時に、通信端末において表示させることができる。
【０００８】
本発明の請求項５による通信システムは、
通信端末同士の通話の終了を検出したときに前記通信端末に送信すべきデータの登録がなされているか判定する判定手段と、前記データの登録がなされている場合、前記データに関する情報を前記通信端末に送信する送信手段とを含む交換機と、
前記データに関する情報を取得する情報取得手段と、前記情報取得手段によって取得した情報を用いて自端末の画面に前記データを表示する表示手段とを含む通信端末と、
を備えたことを特徴とする。
このような構成によれば、広告など任意の情報を、終話時に、通信端末において表示させることができる。
【発明の効果】
【０００９】
本発明によれば、通話相手を特定するための情報や広告など任意の情報を、終話時に表示させることができる。これにより、通話相手の名前や所属を終話時に確認できたり、宣伝効果を高めるたりすることができるという効果がある。
【発明を実施するための最良の形態】
【００１０】
以下、本発明の実施の形態を、図面を参照して説明する。なお、以下の説明において参照する各図では、他の図と同等部分は同一符号によって示されている。
（実施の形態）
図１は、本発明の実施形態による通信システムの構成例を示すブロック図である。本例では、テキストデータによる広告を終話時に表示させる場合について説明する。同図を参照すると、本例の通信システムは、携帯電話機などの通信端末ＡおよびＢ、ならびに、通信端末同士の通話を実現するための交換機３０が、ネットワーク（ＮＷ）１００に接続された構成になっている。さらに、交換機３０には、表示制御機能４０を介して広告データベース（以下、ＤＢと略称する）５０が接続されている。本例では、交換機３０の機能、および、表示制御機能４０を含む装置を、通信制御装置１としている。
なお、ＮＷ１００には、図示せぬ無線基地局、基地局制御装置など、携帯電話通信のために必要な装置が含まれている。
【００１１】
（交換機などの構成）
同図中の交換機３０は、通信端末同士の通話を実現するための呼制御機能３１と、通信端末へ送信する信号にテキストデータによる広告情報を格納するテキスト格納機能３２とを有している。
表示制御機能４０は、通信端末による広告表示の登録が行われているかどうか示す情報を記憶しておき、通信端末の電話番号について広告ＤＢ５０への照会を行って広告情報を取得する機能である。
交換機３０は、ＣＰＵ（Central Processing Unit）、メモリ、通信インタフェースなどから構成される周知のサーバ装置を用いて実現される。そして、交換機３０のＣＰＵが所定のプログラムを実行することによって、呼制御機能３１、テキスト格納機能３２が実現される。
本例では、通信制御装置１に、交換機３０と表示制御機能４０とが含まれているが、これらを別々の装置によって実現してもよい。
【００１２】
（通信端末の構成）
同図中の通信端末Ａは、切断応答信号に含まれている広告情報を抽出する情報要素抽出機能１１と、抽出した広告情報を端末の画面に表示する情報要素表示機能１２とを含んで構成されている。また、同図中の通信端末Ｂは、終話時に表示すべき広告情報の登録を行う情報登録機能２１を含んで構成されている。
通信端末Ａ、Ｂは、例えば、ＣＰＵ、メモリ、表示部、キー入力部、通信インタフェースなどから構成される周知の携帯電話機によって実現される。そして、通信端末ＡのＣＰＵが所定のプログラムを実行することによって、情報要素抽出機能１１、情報要素表示機能１２が実現される。また、通信端末ＢのＣＰＵが所定のプログラムを実行することによって、情報登録機能２１が実現される。
【００１３】
（システム各部の動作）
以上の構成からなる通信システムの動作について、図２を参照して説明する。同図は、図１の通信システムを構成する各装置間の信号授受を示すシーケンス図である。
同図において、交換機３０の呼制御機能３１によって通信端末Ａと通信端末Ｂとが通話中の状態である場合に（ステップＳ２０１）、通信端末Ａにおいて終話ボタンが押下されると、通信端末Ａから交換機３０へ切断信号が送信される（ステップＳ２０２）。この切断信号が交換機３０によって受信されると、交換機３０から表示制御機能４０へ、通信端末Ａ、Ｂの電話番号に関する情報が送信される（ステップＳ２０３）。
【００１４】
通信端末Ａ、Ｂの電話番号に関する情報が表示制御機能４０によって受信されると、通信端末Ａ、Ｂの終話時広告表示の登録の有無が確認される（ステップＳ２０４）。ここでは通信端末Ｂによる登録があったとすると、表示制御機能４０から広告ＤＢ５０へ、通信端末Ｂの電話番号の照会が行われる（ステップＳ２０４→Ｓ２０５）。これにより、広告ＤＢ５０から表示制御機能４０へ該当する広告情報が送信される（ステップＳ２０６）。本例では、広告情報がテキストデータによって構成されるものとする。広告ＤＢ５０から送信された広告情報は、表示制御機能４０を介して、交換機３０に送られる（ステップＳ２０７）。
【００１５】
交換機３０では、取得された広告情報が、通信端末Ａに送信する切断応答信号の情報要素として格納され（ステップＳ２０８）、その切断応答信号が通信端末Ａに送信される（ステップＳ２０９）。また、交換機３０から通信端末Ｂへ、切断信号が送信される（ステップＳ２１０）。以上の処理により、通信端末Ａと通信端末Ｂとの通話は終了となる。
その後、通信端末Ａにおいては、切断応答信号の情報要素から広告情報が抽出され（ステップＳ２１１）、その広告情報が端末の画面上に表示される（ステップＳ２１２）。本例では、広告情報がテキストデータによって構成されるため、テキストデータによる広告情報が通信端末Ａの画面に表示されることになる。これにより、宣伝効果を高めることができる。
【００１６】
なお、通信端末Ａによる終話時広告表示の登録があった場合は、通信端末Ｂへ広告情報が送信され、その広告情報が通信端末Ｂの画面に表示されることになる。
また、ステップＳ２０４において、終話時広告表示の登録がない場合は、表示制御機能４０から交換機３０へ、切断信号が送られる（ステップＳ２０４→Ｓ２０４’）。これにより、広告情報を含まない切断応答信号が通信端末Ａに送信される（ステップＳ２０９）。また、交換機３０から通信端末Ｂへ、切断信号が送信される（ステップＳ２１０）。以上の処理により、通信端末Ａと通信端末Ｂとの通話は終了となる。
【００１７】
（広告情報登録処理）
以上説明した通信システムにおいては、通信端末Ａに表示すべき広告情報を、通信端末Ｂから広告ＤＢ５０に事前に登録しておく必要がある。この登録処理について、図３を参照して説明する。
同図において、登録すべき広告情報が、通信端末Ｂから入力される（ステップＳ３０１）。この入力された広告情報は、表示制御機能４０へ送信される（ステップＳ３０２）。広告情報を受信した表示制御機能４０では、登録ありの旨が電話番号と共に記憶される（ステップＳ３０３）。
【００１８】
その後、表示制御機能４０から広告ＤＢ５０へ、電話番号および広告情報が送信される（ステップＳ３０４）。これらを受信した広告ＤＢ５０では、広告情報が電話番号と共に登録される（ステップＳ３０５）。以上の登録処理が事前に行われることにより、通信端末による広告表示の登録有無を終話時に確認でき、登録がある場合は、通話相手側の端末に広告情報を送信し、その画面に表示させることができる。
以上説明したように、本例では、広告データがテキストデータである場合、その広告データ自体を切断応答信号に含めて送信するので、それを受信した通信端末ではテキストデータによる広告を終話時に表示させることができる。
【００１９】
（他の実施形態）
次に、本発明の他の実施形態による通信システムの構成例について図４を参照して説明する。本例では、画像情報を含む広告を終話時に表示させる場合について説明する。同図を参照すると、本例の通信システムは、携帯電話機などの通信端末ＡおよびＢ、ならびに、通信端末同士の通話を実現するための交換機３０が、ＮＷ１００に接続された構成になっている。また、交換機３０には、表示制御機能４０を介してＵＲＬＤＢ６０が接続されている。さらに、ＵＲＬＤＢ６０は広告Ｗｅｂサーバ７０に接続されている。本例では、交換機３０の機能、および、表示制御機能４０を含む装置を、通信制御装置１としている。広告Ｗｅｂサーバ７０については、ＮＷ１００を介して通信端末Ａからもアクセスすることができる。
なお、ＮＷ１００には、図示せぬ無線基地局、基地局制御装置など、携帯電話通信のために必要な装置が含まれている。
【００２０】
（交換機などの構成）
同図中の交換機３０は、通信端末同士の通話を実現するための呼制御機能３１と、通信端末へ送信する信号に広告ＷｅｂページのＵＲＬ情報を格納するＵＲＬ格納機能３３とを有している。
表示制御機能４０は、通信端末による広告表示の登録が行われているかどうか示す情報を記憶しておき、通信端末の電話番号についてＵＲＬＤＢ６０への照会を行ってＵＲＬ情報を取得する機能である。
交換機３０は、ＣＰＵ、メモリ、通信インタフェースなどから構成される周知のサーバ装置を用いて実現される。そして、交換機３０のＣＰＵが所定のプログラムを実行することによって、呼制御機能３１、ＵＲＬ格納機能３３が実現される。
本例では、通信制御装置１に、交換機３０と表示制御機能４０とが含まれているが、これらを別々の装置によって実現してもよい。
【００２１】
（通信端末の構成）
同図中の通信端末Ａは、切断応答信号に含まれているＵＲＬ情報を抽出する情報要素抽出機能１１と、抽出したＵＲＬを用いて広告Ｗｅｂサーバに接続するためのブラウザを起動するブラウザ自動起動機能１３と、起動されたブラウザを用いて広告Ｗｅｂページにアクセスするためのブラウジング機能１４とを含んで構成されている。また、同図中の通信端末Ｂは、終話時に表示すべき情報に対応するＵＲＬ情報の登録を行う情報登録機能２１を含んで構成されている。
【００２２】
通信端末Ａ、Ｂは、例えば、ＣＰＵ、メモリ、表示部、キー入力部、通信インタフェースなどから構成される周知の携帯電話機によって実現される。そして、通信端末ＡのＣＰＵが所定のプログラムを実行することによって、情報要素抽出機能１１、ブラウザ自動起動機能１３、ブラウジング機能１４が実現される。また、通信端末ＢのＣＰＵが所定のプログラムを実行することによって、情報登録機能２１が実現される。
【００２３】
（システム各部の動作）
以上の構成からなる通信システムの動作について、図５を参照して説明する。同図は、図４の通信システムを構成する各装置間の信号授受を示すシーケンス図である。
同図において、交換機３０の呼制御機能３１によって通信端末Ａと通信端末Ｂとが通話中の状態である場合に（ステップＳ５０１）、通信端末Ａにおいて終話ボタンが押下されると、通信端末Ａから交換機３０へ切断信号が送信される（ステップＳ５０２）。この切断信号が交換機３０によって受信されると、交換機３０から表示制御機能４０へ、通信端末Ａ、Ｂの電話番号に関する情報が送信される（ステップＳ５０３）。
【００２４】
通信端末Ａ、Ｂの電話番号に関する情報が表示制御機能４０によって受信されると、通信端末Ａ、Ｂの終話時広告表示の登録の有無が確認される（ステップＳ５０４）。ここでは通信端末Ｂによる登録があったとすると、表示制御機能４０からＵＲＬＤＢ６０へ、通信端末Ｂの電話番号の照会が行われる（ステップＳ５０４→Ｓ５０５）。これにより、ＵＲＬＤＢ６０から表示制御機能４０へ該当するＵＲＬ情報が送信される（ステップＳ５０６）。ＵＲＬＤＢ６０から送信されたＵＲＬ情報は、表示制御機能４０を介して、交換機３０に送られる（ステップＳ５０７）。このＵＲＬ情報は、広告Ｗｅｂサーバ７０の該当ＷｅｂページにアクセスするためのＵＲＬである。
【００２５】
交換機３０では、取得されたＵＲＬ情報が、通信端末Ａに送信する切断応答信号の情報要素として格納され（ステップＳ５０８）、その切断応答信号が通信端末Ａに送信される（ステップＳ５０９）。また、交換機３０から通信端末Ｂへ、切断信号が送信される（ステップＳ５１０）。以上の処理により、通信端末Ａと通信端末Ｂとの通話は終了となる。
【００２６】
その後、通信端末Ａにおいては、切断応答信号の情報要素からＵＲＬ情報が抽出され（ステップＳ５１１）、そのＵＲＬ情報によって示されるＷｅｂページに接続するためのブラウザが起動される（ステップＳ５１２）。そして、起動されたブラウザにより、広告Ｗｅｂサーバ７０の該当Ｗｅｂページへの接続が行われる（ステップＳ５１３）。これにより、広告Ｗｅｂサーバ７０から通信端末Ａへ、Ｗｅｂ画面が送信され（ステップＳ５１４）、そのＷｅｂ画面が通信端末Ａに表示される（ステップＳ５１５）。画像情報を含む広告を終話時に表示させることにより、宣伝効果を高めることができる。
【００２７】
なお、通信端末Ａによる終話時広告表示の登録があった場合は、通信端末ＢへＵＲＬ情報が送信され、その広告情報が通信端末Ｂの画面に表示されることになる。
また、ステップＳ５０４において、終話時広告表示の登録がない場合は、表示制御機能４０から交換機３０へ、切断信号が送られる（ステップＳ５０４→Ｓ５０４’）。これにより、ＵＲＬ情報を含まない切断応答信号が通信端末Ａに送信される（ステップＳ５０９）。また、交換機３０から通信端末Ｂへ、切断信号が送信される（ステップＳ５１０）。以上の処理により、通信端末Ａと通信端末Ｂとの通話は終了となる。
【００２８】
（広告ＵＲＬ登録処理）
以上説明した通信システムにおいては、広告が掲載されているＷｅｂページのＵＲＬ情報（すなわち広告データを取得するためのＵＲＬ）をＵＲＬＤＢ６０に事前に登録しておく必要がある。この登録処理について、図６を参照して説明する。
同図において、登録すべきＵＲＬ情報が、通信端末Ｂから入力される（ステップＳ６０１）。この入力されたＵＲＬ情報は、表示制御機能４０へ送信される（ステップＳ６０２）。ＵＲＬ情報を受信した表示制御機能４０では、登録ありの旨が電話番号と共に記憶される（ステップＳ６０３）。
【００２９】
その後、表示制御機能４０からＵＲＬＤＢ６０へ、電話番号およびＵＲＬ情報が送信される（ステップＳ６０４）。これらを受信したＵＲＬＤＢ６０では、広告情報が電話番号と共に登録される（ステップＳ６０５）。以上の登録処理が事前に行われることにより、通信端末による広告表示の登録有無を終話時に確認でき、登録がある場合は、通話相手側の端末にＵＲＬ情報を送信し、それを用いて広告を画面に表示させることができる。
以上説明したように、本例では、広告データが画像情報である場合、その広告データ自体の代わりにそれをＷｅｂサーバから取得するための情報であるＵＲＬを切断応答信号に含めて送信するので、それを受信した通信端末ではそのＵＲＬを用いて広告データを取得し、画像情報による広告を終話時に表示させることができる。
【００３０】
（変形例）
以上、本発明の実施形態について説明したが、本発明は当該実施の形態に限定されるものではなく、その技術思想の範囲内で様々な変形が可能である。変形例としては、例えば以下のようなものが考えられる。
上述した実施形態では、通信端末に広告情報を表示する場合について説明したが、これに限らず通話相手を特定するための情報など任意の情報を終話時に表示させ、通話相手の名前や所属を容易に確認可能にできることは明白である。そして、データ容量の小さなテキストデータなどについては切断応答信号に含めて送信することができ、データ容量の大きな画像情報などについてはそのＷｅｂページに接続するためのＵＲＬ情報を切断応答信号に含めて送信することができる。
【００３１】
図４〜図６を参照して説明した実施形態では、切断応答信号の情報要素からＵＲＬ情報が抽出された後、そのＵＲＬ情報によって示されるＷｅｂページに接続するためのブラウザを自動的に起動しているが、Ｗｅｂページへの接続をユーザの手動操作で行うようにしてもよい。この場合、図１〜図３を参照して説明した実施形態の場合と同様に、テキストデータによって広告を表示させておき、その広告に含まれているＵＲＬ情報の部分をユーザが選択する操作を行えばよい。これは、画像情報を含む広告を表示させる場合に、携帯電話機のＷｅｂＴｏ機能を利用することによって容易に実現できる。例えば、図７に示されているように、終話時に「よかったら見て下さい」というメッセージと共に、「ＵＲＬ：ｈｔｔｐ／／＊＊＊」というＵＲＬ情報を、画面に表示させておき、このＵＲＬ情報の部分をユーザが選択する操作を行うことになる。
また、上述した実施形態では、通信端末が携帯電話機である場合について説明したが、これに限らず通信機能を有するノート型コンピュータやＰＤＡ（Personal Digital Assistant）などを上記通信端末として用いることができることは明白である。
【００３２】
（まとめ）
以上説明したように、本発明による通信制御装置は、通信端末同士の通話の終了を検出したときに通信端末に送信すべきデータの登録がなされているか判定し、その登録がなされている場合、そのデータに関する情報を送信している。
また、データに関する情報は、そのデータ自体（例えば、テキストデータの場合）か、または、そのデータを取得するためのＵＲＬ情報（例えば、画像情報の場合）である。そして、データに関する情報は、呼を切断させるための切断応答信号に含めて送信される。
以上のように構成された通信制御装置を用いることにより、広告など任意の情報を終話時に表示させることができる。
【産業上の利用可能性】
【００３３】
本発明は、携帯電話機などの通信端末の画面に通話相手を特定するための情報や広告などを表示する場合に利用することができる。
【図面の簡単な説明】
【００３４】
【図１】本発明の実施の形態に係る通信システムの構成を示す図である。
【図２】図１の通信システムの動作を示すシーケンス図である。
【図３】図１の通信システムにおける広告情報登録処理を示すシーケンス図である。
【図４】本発明の他の実施の形態に係る通信システムの構成を示す図である。
【図５】図４の通信システムの動作を示すシーケンス図である。
【図６】図４の通信システムにおける広告ＵＲＬ登録処理を示すシーケンス図である。
【図７】携帯電話機のＷｅｂＴｏ機能を利用する場合の画面表示例を示す図である。
【符号の説明】
【００３５】
１  通信制御装置
１１  情報要素抽出機能
１２  情報要素表示機能
１３  ブラウザ自動起動機能
１４  ブラウジング機能
２１  情報登録機能
３０  交換機
３１  呼制御機能
３２  テキスト格納機能
３３  ＵＲＬ格納機能
４０  表示制御機能
５０  広告ＤＢ
６０  ＵＲＬＤＢ
７０  広告Ｗｅｂサーバ
Ａ、Ｂ  通信端末
【図１】
2008294917.tif 000003
【図２】
2008294917.tif 000004
【図３】
2008294917.tif 000005
【図４】
2008294917.tif 000006
【図５】
2008294917.tif 000007
【図６】
2008294917.tif 000008
【図７】
2008294917.tif 000009